(57)【要約】      （修正有）【課題】携帯型電子装置（ＰＥＤ）による無線ネットワークへのアクセスを制御するためのシステム及び方法を提供する。【解決手段】無線ネットワークシステム２００において、近距離無線通信（ＮＦＣ）タグが、各権限を与えられたＰＥＤに付けられる。各ＮＦＣタグは、関連付けられたＰＥＤのための識別コードを含むようにプログラムされる。ＮＦＣリーダーは、ＰＥＤ上のＮＦＣタグがアンテナの近傍に配置されたときに情報信号を受信するアンテナを有し、情報信号内に含まれている情報を出力するための出力部も含む。権限付与モジュールは、ＮＦＣリーダーの出力部に接続され、無線ネットワークへのアクセスを制御する無線ルーターに接続され、ＮＦＣリーダーから情報を受信し、情報がＰＥＤのための識別コードを含むならば、識別コードを有するＰＥＤが無線ネットワークにアクセスすることを可能にするようにルーターを設定する。【選択図】図２
2017139726.tif 000002
【特許請求の範囲】
【請求項１】
携帯型電子装置による無線ネットワークへのアクセスを制御するためのシステムであって、
１以上の近距離無線通信タグ（２１２）であって、各々が、関連付けられた携帯型電子装置（２１０）に付けられ、前記関連付けられた携帯型電子装置（２１０）のための識別コードを含むようにプログラムされ、前記関連付けられた携帯型電子装置（２１０）の各々が、前記無線ネットワークにアクセスする権限を与えられる、１以上の近距離無線通信タグ（２１２）、
前記１以上の近距離無線通信タグ（２１２）のうちの１つが、アンテナ（２２４）の近傍に配置されたときに、情報信号を受信するための前記アンテナ（２２４）と、前記情報信号内に含まれている情報を出力するための出力部とを有する、近距離無線通信リーダー（２２１）、及び
前記近距離無線通信リーダー（２２１）の前記出力部に接続された権限付与モジュール（２２０）であって、前記近距離無線通信リーダー（２２１）から前記情報を受信し、前記情報が携帯型電子装置（２１０）のための識別コードを含むならば、前記識別コードを有する前記携帯型電子装置（２１０）が、前記無線ネットワークにアクセスすることを可能にするように設定された、権限付与モジュール（２２０）を備える、システム。
【請求項２】
前記権限付与モジュールが、前記無線ネットワークへのアクセスを制御するルーター（２２２）にも接続され、前記権限付与モジュール（２２０）が、前記情報が携帯型電子装置（２１０）のための識別コードを含むならば、前記識別コードを有する前記携帯型電子装置（２１０）が前記無線ネットワークにアクセスすることを可能にするように、前記ルーター（２２２）を設定するように設定される、請求項１に記載のシステム。
【請求項３】
前記近距離無線通信リーダー（２２１）からの前記情報が、携帯型電子装置（２１０）のための識別コードを含むときに、前記権限付与モジュール（２２０）が、前記識別コードを権限が与えられた携帯型電子装置のテーブルに追加するように設定される、請求項２に記載のシステム。
【請求項４】
前記情報が携帯型電子装置（２１０）のための識別コードを含むならば、前記識別コードを有する前記携帯型電子装置（２１０）が前記無線ネットワークにアクセスすることを可能にするように、前記ルーター（２２２）を設定するために、前記権限付与モジュール（２２０）が、権限が与えられた携帯型電子装置の前記テーブルを前記ルーター（２２２）に提供するように設定される、請求項３に記載のシステム。
【請求項５】
前記権限付与モジュール（２２０）及び前記ルーター（２２２）が、所定の時間において、権限が与えられた携帯型電子装置の前記テーブルを消去するように設定され、前記無線ネットワークが航空機内に設置され、前記所定の時間が前記航空機による飛行の完了時である、請求項４に記載のシステム。
【請求項６】
前記近距離無線通信リーダー（２２１）が安全な領域内に設置され、前記無線ネットワークが航空機内に設置され、前記安全な領域が前記航空機の操縦室部分である、請求項１に記載のシステム。
【請求項７】
前記１以上の近距離無線通信タグ（２１２）の各々が、前記関連付けられた携帯型電子装置（２１０）の前記無線ネットワークへのアクセスの割り当てられたレベルを規定するアクセスレベルの情報を含むようにもプログラムされ、前記近距離無線通信リーダー（２２１）からの前記情報が、携帯型電子装置（２１０）のための識別コードを含むときに、前記識別コードを有する前記携帯型電子装置（２１０）が、前記近距離無線通信リーダー（２２１）からの前記情報内で規定されたアクセスレベルにおいてのみ、前記無線ネットワークにアクセスすることを可能にするように、前記権限付与モジュール（２２０）が設定される、請求項１に記載のシステム。
【請求項８】
携帯型電子装置（２１０）による無線ネットワークへのアクセスを制御するための方法であって、
前記無線ネットワークにアクセスする権限を与えられた各携帯型電子装置（２１０）のための近距離無線通信タグ（２１２）が、関連付けられた前記携帯型電子装置（２１０）のための識別コードを含むようにプログラムするステップ、
前記プログラムされた近距離無線通信タグ（２１２）を、前記関連付けられた携帯型電子装置（２１０）に付けるステップ、
前記権限を与えられた携帯型電子装置（２１０）のうちの１つを、近距離無線通信リーダー（２１１）のアンテナ（２２４）の近傍に配置するステップ、
前記アンテナ（２２４）を介して、前記近距離無線通信リーダー（２２１）において、前記近距離無線通信タグ（２１２）から情報信号を受信し、前記近距離無線通信リーダー（２２１）の出力部で、前記情報信号内に含まれている情報を出力するステップ、
権限付与モジュール（２２０）において、前記近距離無線通信リーダー（２２１）から前記情報を受信するステップ、及び
前記情報が携帯型電子装置（２１０）のための識別コードを含むならば、前記識別コードを有する前記携帯型電子装置（２１０）が前記無線ネットワークにアクセスすることを可能にするステップを含む、方法。
【請求項９】
前記識別コードを有する前記携帯型電子装置（２１０）が前記無線ネットワークにアクセスすることを可能にする前記ステップが、前記無線ネットワークへのアクセスを制御して、前記識別コードを有する前記携帯型電子装置（２１０）が前記無線ネットワークにアクセスすることを可能にする、ルーター（２２２）を設定する更なるステップを含む、請求項８に記載の方法。
【請求項１０】
前記近距離無線通信リーダー（２２１）からの前記情報が、携帯型電子装置（２１０）のための識別コードを含むときに、前記識別コードを権限が与えられた携帯型電子装置のテーブルに追加するステップを更に含む、請求項９に記載の方法。
【請求項１１】
前記無線ネットワークへのアクセスを制御して、前記識別コードを有する前記携帯型電子装置（２１０）が前記無線ネットワークにアクセスすることを可能にする、ルーター（２２２）を設定する更なるステップが、権限が与えられた携帯型電子装置の前記テーブルを前記ルーター（２２２）に提供することを含む、請求項１０に記載の方法。
【請求項１２】
所定の時間において、権限が与えられた携帯型電子装置の前記テーブルを消去するステップを更に含み、前記無線ネットワークが航空機内に設置され、前記所定の時間が前記航空機による飛行の完了時である、請求項１１に記載の方法。
【請求項１３】
前記近距離無線通信リーダー（２２１）が安全な領域内に設置され、前記無線ネットワークが航空機内に設置され、前記安全な領域が前記航空機の操縦室部分である、請求項８に記載の方法。
【請求項１４】
前記プログラムするステップが、各近距離無線通信タグ（２１２）が前記関連付けられた携帯型電子装置（２１０）の前記無線ネットワークへのアクセスの割り当てられたレベルを規定するアクセスレベルの情報を含むようにもプログラムし、且つ、前記情報が携帯型電子装置（２１０）のための識別コードを含むならば、前記識別コードを有する前記携帯型電子装置（２１０）が前記無線ネットワークにアクセスすることを可能にする前記ステップが、前記近距離無線通信リーダー（２２１）からの前記情報内で規定されたアクセスレベルにおいてのみ、前記識別コードを有する前記携帯型電子装置（２１０）が前記無線ネットワークにアクセスすることを可能にする、請求項８に記載の方法。
【発明の詳細な説明】
【技術分野】
【０００１】
本開示は、広くは、無線ネットワークに対する安全なアクセスを提供するためのシステム及び方法に関し、特に、航空機上の無線ネットワークに対する安全なアクセスを提供することに関する。
【背景技術】
【０００２】
多くの航空機は、有線及び無線の両方のネットワークを含む、安全なローカルエリアネットワークを含む。そのようなネットワークは、権限を与えられた装置に対するデジタル証明書の使用によって安全を確保される。そのような航空機のエアラインオーナーは、そのようなネットワークへのアクセスをもはや許可されていない、以前に権限を与えられた装置（すなわち、有効なデジタル証明書が割り当てられた装置）を識別する、各ネットワークのための証明書取り消しのリストを保持する責任を有する。電子飛行バッグ（ＥＦＢ）として、タブレット又は他のタイプの携帯型電子装置（ＰＥＤ）を使用することが増えてきた。ＥＦＢとして使用される任意のＰＥＤは、航空機の無線ネットワークに対するアクセスを得るために、適切なデジタル証明書を有している必要がある。しかしながら、そのようなＰＥＤは、その携帯型の性質のために、時々、誤った場所に配置され、失われ、又は盗まれる。ＰＥＤが誤った場所に配置され、失われ、又は盗まれたときの潜在的なセキュリティー違反のために、航空会社は、証明書取り消しリストが更新されるまで、典型的には、次の通常の予定された保守日まで、航空機の無線ネットワークを直ちに停止することが必要とされる。証明書取り消しリストの保守及び管理は、大きな労働力を必要とする。更に、無線ネットワークの起動解除は、無線ネットワークにアクセスすることができないために、乗務員及び保守サポートスタッフに対して困難をもたらし得る。
【０００３】
したがって、上述された問題を克服する、無線ネットワークに対する安全なアクセスを提供するためのシステム及び方法が必要である。
【発明の概要】
【０００４】
一態様では、携帯型電子装置による無線ネットワークへのアクセスを制御するためのシステムが、１以上の近距離無線通信タグを含む。１以上の近距離無線通信タグの各々は、関連付けられた携帯型電子装置に付けられ、関連付けられた携帯型電子装置のための識別コードを含むようにプログラムされている。関連付けられた携帯型電子装置の各々は、無線ネットワークにアクセスする権限を与えられている。システムは、１以上の近距離無線通信タグのうちの１つがアンテナの近傍に配置されているときに情報信号を受信するためのアンテナ、及び情報信号内に含まれている情報を出力するための出力部を有する、近距離無線通信リーダーも含む。システムは、近距離無線通信リーダーの出力部に接続された権限付与モジュールを更に含む。権限付与モジュールは、近距離無線通信リーダーから情報を受信し、該情報が携帯型電子装置のための識別コードを含むならば、その識別コードを有する携帯型電子装置が無線ネットワークにアクセスすることを可能にするように設定される。
【０００５】
第２の態様では、携帯型電子装置による無線ネットワークへのアクセスを制御するための方法が提供される。近距離無線通信タグは、無線ネットワークにアクセスする権限を与えられた各携帯型電子装置に付けられている。各近距離無線通信タグは、関連付けられた携帯型電子装置のための識別コードを含むようにプログラムされている。権限を与えられた携帯型電子装置のうちの１つは、近距離無線通信リーダーのアンテナの近傍に配置される。情報信号は、アンテナを介して近距離無線通信リーダーにおいて近距離無線通信タグから受信され、情報信号内に含まれている情報は、近距離無線通信リーダーの出力部で出力される。近距離無線通信リーダーからの情報は、権限付与モジュールにおいて受信される。情報が、携帯型電子装置のための識別コードを含むならば、その識別コードを有する携帯型電子装置は、無線ネットワークへのアクセスを許可される。
【０００６】
第３の態様では、携帯型電子装置による無線ネットワークへのアクセスを制御するためのシステムが、近距離無線通信リーダーを含む。近距離無線通信リーダーは、無線ネットワークにアクセスする権限を与えられた関連付けられた携帯型電子装置に付けられた近距離無線通信タグが、アンテナの近傍に配置されたときに情報信号を受信するためのアンテナを有する。近距離無線通信リーダーは、情報信号内に含まれている情報を出力するための出力部も含む。該システムは、近距離無線通信リーダーの出力部に接続された権限付与モジュールも含む。権限付与モジュールは、近距離無線通信リーダーから情報を受信し、該情報が携帯型電子装置のための識別コードを含むならば、その識別コードを有する携帯型電子装置が無線ネットワークにアクセスすることを可能にするように設定される。
【０００７】
上述の特徴、機能、及び利点は、様々な実施例において独立に実現することが可能であり、また別の実施例において組み合わせることも可能である。これらの実施例について、以下の説明および添付図面を参照して更に詳細に説明する。
【０００８】
以下の詳細な説明は、実施例として与えられ、かつ専らそれに対する本開示を限定すると企図されるものではなく、添付の図面を参照することによって最もよく理解できるだろう。
【図面の簡単な説明】
【０００９】
【図１】本開示の一態様による、携帯型電子装置のインターフェースのモジュールの図である。
【図２】本開示の安全な無線ネットワークアクセスシステムのブロック図である。
【図３】本開示の安全な無線ネットワークアクセスシステムの動作のフローチャートである。
【発明を実施するための形態】
【００１０】
本開示では、図面を通して類似の参照番号は類似の要素を指し、それらの図面は本開示の様々な実施例を示す。
【００１１】
本開示は、安全な無線ネットワークアクセスシステム、特に、航空機上で使用される無線ネットワークを提供し、それは、権限を与えられた装置のためのデジタル証明書の使用に対する代替物を提供するが、それに限られるものではない。本開示内で開示されるシステムは、無線ネットワークを使用するように権限が与えられた各ＰＥＤにタグを付与する、近距離無線通信（ＮＦＣ）タイプの無線識別（ＲＦＩＤ）技術を使用する。ＮＦＣリーダーは、ＮＦＣタグが、（アクセスが権限を与えられた人員だけに限定される）安全な操縦室内に配置されたＮＦＣリーダーの近傍内に配置されたときにのみ、ＮＦＣタグと通信し得る。ＮＦＣタグは、好ましくは、航空機のエアラインオーナーによって、関連付けられたＰＥＤのためのユニークな識別子を含むようにプログラムされ、航空機の無線ネットワークのための関連付けられたＰＥＤに対して許可された権限のレベル、及び装置のタイプ（例えば、ＥＦＢＰＥＤ、キャビンＰＥＤ、又は保守ラップトップＰＥＤ）に関する、更なる情報を含むようにもプログラムされ得る。ＮＦＣリーダーは、ＰＥＤＮＦＣタグから情報を受信し、そのような情報を、新しく受信した情報を含む権限を与えられた装置の記憶されたリスト（例えば、航空会社が承認した装置のリスト）を更新する、権限付与モジュールに転送する。したがって、航空会社が承認した装置のリストは、各飛行の前に航空機上で動的に作り出され、それは、ＰＥＤが誤った場所に配置され、失われ、又は盗まれた場合に、航空会社が、全ての航空機の無線ネットワークを起動解除する必要性を避ける。更に、特定の航空機のための航空会社が承認した装置のリストは、安全な操縦室内に設置されたＮＦＣリーダーのアンテナの近傍にある各ＰＥＤにＮＦＣタグを配置することによって、航空機において自動的に生成される。これは、航空会社が承認した装置のリストを作り出し保持するために以前に必要とされた諸経費を大幅に低減させ、証明書取り消しリストを生成し更新するための諸経費を低減させ又は消去さえし得る。
【００１２】
今度は図１を参照すると、操縦室の表面１２０上の取り付けブラケット１１０に設置されたＰＥＤ１００が示されている。（図示せぬ）ＮＦＣタグは、ＰＥＤ１００の後ろ部分に取り付けられ、ＮＦＣリーダーのアンテナ１３０の近傍にある。ＰＥＤ１００は、図１ではタブレットコンピュータとして示されているが、タブレット、スマートフォン、及びラップトップコンピュータを含む、無線ネットワークと通信できる任意のタイプの携帯型電子装置であってもよく、更にそれらに限定されるものでもない。一旦、ＰＥＤ１００がＮＦＣリーダーのアンテナ１３０の近傍（例えば、４インチ以内）に配置されると、（図２で詳細に示され議論される）ＮＦＣリーダーは、ＰＥＤ１００に関連付けられたＮＦＣタグ内に含まれている情報を読み、その後、そのような情報を、航空会社が承認した装置のリストの動的な更新のためにネットワークの権限付与モジュールに転送する。取り付けブラケット１１０は、操縦室の領域内での便利な使用のためにＰＥＤ１００を保持するように提供されるが、ＰＥＤ１００上のＮＦＣタグは、ＰＥＤ１００が取り付けブラケット１１０内に取り付けられているか否かにかかわらず、ＰＥＤ１００がＮＦＣリーダーのアンテナ１３０の近くに移動されるや否や、読まれる（且つＰＥＤ１００に権限が与えられる）。これは、取り付けブラケット１１０に取り付けられるには大き過ぎる又は小さ過ぎる携帯型電子装置を含む、任意のタイプの携帯型電子装置と共に、システムが使用されることを可能にする。
【００１３】
今度は図２を参照すると、安全な無線ネットワークアクセスシステム２００は、各々が、アンテナ２２３を介して無線ルーター２２２によってホストされた無線ネットワークと相互作用するために必要不可欠なアンテナ２１１を有する、１以上のＰＥＤ２１０を含む。システム２００は、図１で示されるように、航空機内に実装され得るが、システム２００は、無線ネットワークへのアクセスが予め認められたＰＥＤのみに限られる、任意の用途で使用され得る。各ＰＥＤ２１０は、そこに付けられたＮＦＣタグ２１２を含む。ＮＦＣタグ２１２は、無線ネットワークの管理者によってＰＥＤ２１０に割り当てられ、関連付けられたＰＥＤ２１０のためのＩＤ情報を含む。ＮＦＣタグ２１２は、ＰＥＤ２１０のユーザに提供されたアクセスレベルに関する、及びＰＥＤ２１０のための装置のタイプに関する情報も含み得る。ＮＦＣリーダー２２１は、権限付与モジュール２２０に接続され、今度は、権限付与モジュール２２０が無線ルーター２２２に接続される。ＮＦＣリーダー２２１は、（ある実施例ではＮＦＣリーダーにとって必要不可欠であり得る）ＮＦＣアンテナ２２４にも接続される。ＮＦＣリーダー２２１は、ＮＦＣアンテナ２２４の近傍内に配置された任意のＮＦＣタグ（例えば、ＰＥＤ２１０に付けられたＮＦＣタグ２１２）から情報を読み、そのような情報を権限付与モジュール２２０に転送するように設定される。権限付与モジュール２２０は、無線ルーター２２２に関連付けられた無線ネットワークにアクセスし得る全ての装置を識別する航空会社が承認した装置のリストを構築するコンピューティングシステムである。ある場合では、航空会社が承認した装置のリストが、無線ネットワークへのアクセスが常に提供される特定のデフォルト装置（例えば、恒久的に設置された無線装置）を含み得る。他の場合では、完全な航空会社が承認した装置のリストが、使用の前に（例えば、飛行の前に）生成される。権限付与モジュール２２０は、ＮＦＣタグが読まれた時毎にＮＥＣリーダー２２１から情報を受信し、そのような情報がＰＥＤタイプの権限を与えられた装置のＩＤに対応するように適正にフォーマットされているならば、そのような情報を航空会社が承認した装置のリストに追加するように設定される。権限付与モジュール２２０は、航空会社が承認した装置のリストが更新された時毎に、航空会社が承認した装置のリストを無線ルーター２２２に転送するようにも設定される。このやり方で、航空会社が承認した装置のリストは、特定の使用の前に（例えば、航空機の飛行に先立って）動的に作り出され、権限付与モジュール２２０、ＮＦＣリーダー２２１、及び無線ルーター２２２が設置された領域内に物理的に存在するＰＥＤのみを含むことができる。したがって、システム２００が航空機の操縦室の領域内に含まれたときに、そこに取り付けられた適正なＮＦＣタグを有する操縦室内に存在するＰＥＤのみが、システム２００に関連付けられた無線ネットワークにアクセスすることができ、それはまた、ＮＦＣタグ（例えば、ＮＦＣタグ２１２）がＮＦＣリーダー２２１によって読まれ、そのＰＥＤ（例えば、ＰＥＤ２１０）のためのＩＤ情報が航空会社が承認した装置のリストに追加された後のみである。
【００１４】
図３を参照すると、フローチャート３００が、図２のシステム２００の動作を示している。最初に、ステップ３１０では、無線ネットワークの管理者（例えば、無線ネットワークが設置されている航空機を所有する航空会社）が、ＮＦＣタグ２１２を、システム２００に関連付けられた無線ネットワークを使用する権限を与えられた各ＰＥＤ２１０に割り当てる。ＮＦＣタグ２１２は、ＰＥＤ２１０に付けられ、そのＰＥＤのための少なくともＩＤ情報を含む。上述されたように、ＮＦＣタグ２１２は、アクセスレベルの情報及びＰＥＤの特定のタイプを識別する情報を含む、他の情報も含み得る。次に、ステップ３２０では、システム２００の無線ネットワークの最初の使用の間に、ユーザが、権限が与えられたＰＥＤ２１０を、ＮＦＣリーダー２２１のためのＮＦＣアンテナ２２４の近傍に配置する。ステップ３３０では、ＮＦＣリーダー２２１が、ＰＥＤ２１０に付けられたＮＦＣタグ２１２から情報を読み、その情報を権限付与モジュール２２０に転送する。ステップ３４０では、権限付与モジュール２２０が、ＰＥＤ情報（例えば、装置のＩＤ）を受信し、それを動的テーブル（例えば、航空会社が承認した装置のリスト）の中へ記録する。その後、ステップ３５０では、権限付与モジュール２２０が、更新された動的テーブルを無線ルーター２２２に転送し、（ＮＦＣタグ２１２から読まれた情報によって制御され得るアクセスレベルにおいて）ＰＥＤ２１０に対してアクセスを許可する。最後に、ステップ３６０では、システム２００の無線ネットワークの使用の完了において（例えば、飛行の完了において）、動的テーブルが、任意選択的に消去され、それによって、ＰＥＤ２１０は、（ＮＦＣリーダー２２１を介して）再度権限が与えられるまでシステム２００の無線ネットワークに対するアクセスをもはや有しない。
【００１５】
航空会社が承認した装置のリストは、各使用毎に動的に作り出され、且つシステム２００において（無効にされた以前の権限を有するＰＥＤを識別する）証明書取り消しリストを保持する必要性は存在しないので、システム２００を使用すれば、これらの２つのリストを作り出し保持する多大な諸経費及び時間が削減される。更に、証明書取り消しリストの消去は、以前に権限を与えられたＰＥＤが誤って配置され、失われ、又は盗まれたときに、システム２００の無線ネットワークをシャットダウンする任意の必要性を除去し、そのようなネットワークがシャットダウンされたときに結果として生じる問題を除去する。
【００１６】
更に、本開示は、以下の条項による実施例を含む。
条項１
携帯型電子装置による無線ネットワークへのアクセスを制御するためのシステムであって、１以上の近距離無線通信タグ（２１２）であって、各々が、関連付けられた携帯型電子装置（２１０）に付けられ、前記関連付けられた携帯型電子装置（２１０）のための識別コードを含むようにプログラムされ、前記関連付けられた携帯型電子装置（２１０）の各々が、前記無線ネットワークにアクセスする権限を与えられる、１以上の近距離無線通信タグ（２１２）、前記１以上の近距離無線通信タグ（２１２）のうちの１つが、アンテナ（２２４）の近傍に配置されたときに、情報信号を受信するための前記アンテナ（２２４）と、前記情報信号内に含まれている情報を出力するための出力部とを有する、近距離無線通信リーダー（２２１）、及び前記近距離無線通信リーダー（２２１）の前記出力部に接続された権限付与モジュール（２２０）であって、前記近距離無線通信リーダー（２２１）から前記情報を受信し、前記情報が携帯型電子装置（２１０）のための識別コードを含むならば、前記識別コードを有する前記携帯型電子装置（２１０）が、前記無線ネットワークにアクセスすることを可能にするように設定された、権限付与モジュール（２２０）を備える、システム。
条項２
前記権限付与モジュールが、前記無線ネットワークへのアクセスを制御するルーター（２２２）にも接続され、前記権限付与モジュール（２２０）が、前記情報が携帯型電子装置（２１０）のための識別コードを含むならば、前記識別コードを有する前記携帯型電子装置（２１０）が前記無線ネットワークにアクセスすることを可能にするように、前記ルーター（２２２）を設定するように設定される、条項１に記載のシステム。
条項３
前記近距離無線通信リーダー（２２１）からの前記情報が、携帯型電子装置（２１０）のための識別コードを含むときに、前記権限付与モジュール（２２０）が、前記識別コードを権限が与えられた携帯型電子装置のテーブルに追加するように設定される、条項２に記載のシステム。
条項４
前記情報が携帯型電子装置（２１０）のための識別コードを含むならば、前記識別コードを有する前記携帯型電子装置（２１０）が前記無線ネットワークにアクセスすることを可能にするように、前記ルーター（２２２）を設定するために、前記権限付与モジュール（２２０）が、権限が与えられた携帯型電子装置の前記テーブルを前記ルーター（２２２）に提供するように設定される、条項３に記載のシステム。
条項５
前記権限付与モジュール（２２０）及び前記ルーター（２２２）が、所定の時間において、権限が与えられた携帯型電子装置の前記テーブルを消去するように設定される、条項４に記載のシステム。
条項６
前記無線ネットワークが航空機内に設置され、前記所定の時間が前記航空機による飛行の完了時である、条項５に記載のシステム。
条項７
前記近距離無線通信リーダー（２２１）が、安全な領域内に設置される、条項１に記載のシステム。
条項８
前記無線ネットワークが、航空機内に設置される、条項７に記載のシステム。
条項９
前記安全な領域が、前記航空機の操縦室部分である、条項８に記載のシステム。
条項１０
前記１以上の近距離無線通信タグ（２１２）の各々が、前記関連付けられた携帯型電子装置（２１０）の前記無線ネットワークへのアクセスの割り当てられたレベルを規定するアクセスレベルの情報を含むようにもプログラムされ、前記近距離無線通信リーダー（２２１）からの前記情報が、携帯型電子装置（２１０）のための識別コードを含むときに、前記識別コードを有する前記携帯型電子装置（２１０）が、前記近距離無線通信リーダー（２２１）からの前記情報内で規定されたアクセスレベルにおいてのみ、前記無線ネットワークにアクセスすることを可能にするように、前記権限付与モジュール（２２０）が設定される、条項１に記載のシステム。
条項１１
携帯型電子装置（２１０）による無線ネットワークへのアクセスを制御するための方法であって、前記無線ネットワークにアクセスする権限を与えられた各携帯型電子装置（２１０）のための近距離無線通信タグ（２１２）が、関連付けられた前記携帯型電子装置（２１０）のための識別コードを含むようにプログラムするステップ、前記プログラムされた近距離無線通信タグ（２１２）を、前記関連付けられた携帯型電子装置（２１０）に付けるステップ、前記権限を与えられた携帯型電子装置（２１０）のうちの１つを、近距離無線通信リーダー（２１１）のアンテナ（２２４）の近傍に配置するステップ、前記アンテナ（２２４）を介して、前記近距離無線通信リーダー（２２１）において、前記近距離無線通信タグ（２１２）から情報信号を受信し、前記近距離無線通信リーダー（２２１）の出力部で、前記情報信号内に含まれている情報を出力するステップ、権限付与モジュール（２２０）において、前記近距離無線通信リーダー（２２１）から前記情報を受信するステップ、及び前記情報が携帯型電子装置（２１０）のための識別コードを含むならば、前記識別コードを有する前記携帯型電子装置（２１０）が前記無線ネットワークにアクセスすることを可能にするステップを含む、方法。
条項１２
前記識別コードを有する前記携帯型電子装置（２１０）が前記無線ネットワークにアクセスすることを可能にする前記ステップが、前記無線ネットワークへのアクセスを制御して、前記識別コードを有する前記携帯型電子装置（２１０）が前記無線ネットワークにアクセスすることを可能にする、ルーター（２２２）を設定する更なるステップを含む、条項１１に記載の方法。
条項１３
前記近距離無線通信リーダー（２２１）からの前記情報が、携帯型電子装置（２１０）のための識別コードを含むときに、前記識別コードを権限が与えられた携帯型電子装置のテーブルに追加するステップを更に含む、条項１２に記載の方法。
条項１４
前記無線ネットワークへのアクセスを制御して、前記識別コードを有する前記携帯型電子装置（２１０）が前記無線ネットワークにアクセスすることを可能にする、ルーター（２２２）を設定する更なるステップが、権限が与えられた携帯型電子装置の前記テーブルを前記ルーター（２２２）に提供することを含む、条項１３に記載の方法。
条項１５
所定の時間において、権限が与えられた携帯型電子装置の前記テーブルを消去するステップを更に含む、条項１４に記載の方法。
条項１６
前記無線ネットワークが航空機内に設置され、前記所定の時間が前記航空機による飛行の完了時である、条項１５に記載の方法。
条項１７
前記近距離無線通信リーダー（２２１）が、安全な領域内に設置される、条項１１に記載の方法。
条項１８
前記無線ネットワークが航空機内に設置され、前記安全な領域が前記航空機の操縦室部分である、条項１７に記載の方法。
条項１９
前記プログラムするステップが、各近距離無線通信タグ（２１２）が前記関連付けられた携帯型電子装置（２１０）の前記無線ネットワークへのアクセスの割り当てられたレベルを規定するアクセスレベルの情報を含むようにもプログラムし、且つ、前記情報が携帯型電子装置（２１０）のための識別コードを含むならば、前記識別コードを有する前記携帯型電子装置（２１０）が前記無線ネットワークにアクセスすることを可能にする前記ステップが、前記近距離無線通信リーダー（２２１）からの前記情報内で規定されたアクセスレベルにおいてのみ、前記識別コードを有する前記携帯型電子装置（２１０）が前記無線ネットワークにアクセスすることを可能にする、条項１１に記載の方法。
条項２０
携帯型電子装置（２１０）による無線ネットワークへのアクセスを制御するためのシステムであって、前記無線ネットワークにアクセスする権限を与えられた関連付けられた携帯型電子装置（２１０）に付けられた近距離無線通信タグ（２１２）がアンテナ（２２４）の近傍に配置されたときに、情報信号を受信するための前記アンテナ（２２４）と、前記情報信号内に含まれている情報を出力するための出力部とを有する、近距離無線通信リーダー（２２１）、及び前記近距離無線通信リーダー（２２１）の前記出力部に接続された権限付与モジュール（２２０）であって、前記近距離無線通信リーダー（２２１）から前記情報を受信し、前記情報が携帯型電子装置（２１０）のための識別コードを含むならば、前記識別コードを有する前記携帯型電子装置（２１０）が前記無線ネットワークにアクセスすることを可能にするように設定された、権限付与モジュール（２２０）を備える、システム。
【００１７】
本開示は、好適な実施例及びそれらの様々な態様を参照しながら、具体的に示され、かつ説明されてきたが、本開示の精神及び範囲から逸脱することなく、様々な変化及び修正がなされ得ることは、当業者にとって明らかであろう。添付の特許請求の範囲は、本明細書の中において説明された実施例、上述された代替物、及びそれらに対する全ての等価物を含むものと解釈されることが企図されている。
【図１】
2017139726.tif 000003
【図２】
2017139726.tif 000004
【図３】
2017139726.tif 000005
【外国語明細書】
2017139726000001.pdf
2017139726000002.pdf
2017139726000003.pdf
2017139726000004.pdf